(57)【要約】【課題】栽培ハウスにおいて作物を連続的に栽培可能で、作物の年間生産量を飛躍的に向上できる栽培ハウスの土交換システムを提供する。【解決手段】土交換システム１は、栽培ハウス１０の直下に設けられ、栽培ハウス１０の土を囲む土収容部２０を有する。土収容部２０の側壁３０ａ、３０ｂには、土収容部２０に土を搬入出するための搬入用土通過口４０と、搬出用土通過口４１が設けられている。土収容部２０の側壁３０ａ、３０ｂの外側には、交換される土を収容する外部土収容部２１ａ、２１ｂが設けられている。土交換システム１は、土通過口４０、４１を通じて土収容部２０と外部土収容部２１ａ、２１ｂとの間で土を搬送する土搬送コンベア５０、５１を有している。【選択図】図１
0003190302.tif 000002
【実用新案登録請求の範囲】
【請求項１】
栽培ハウスの土を交換する土交換システムであって、
栽培ハウスの下に設けられ、栽培ハウスの土を囲んで収容する土収容部を有し、
前記土収容部の少なくとも一つの側壁には、前記土収容部の土を搬入出するための土通過口が設けられている、土交換システム。
【請求項２】
前記土収容部の前記土通過口のある側壁の外側に設けられ、前記土収容部に搬入出される土を収容する外部土収容部を、さらに有する、請求項１に記載の土交換システム。
【請求項３】
前記土通過口を通じて前記土収容部と前記外部土収容部との間で土を搬送する土搬送装置を、さらに有する、請求項２に記載の土交換システム。
【請求項４】
前記土通過口には、前記土収容部から土を搬出するための搬出用土通過口と、前記土収容部に土を搬入するための搬入用土通過口があり、
前記搬出用土通過口は、前記搬入用土通過口よりも低い位置に設けられている、請求項１〜３のいずれかに記載の土交換システム。
【請求項５】
前記搬入用土通過口と前記搬出用土通過口が、前記土収容部の異なる側壁に設けられている、請求項４に記載の土交換システム。
【請求項６】
前記搬入用土通過口と前記搬出用土通過口が、前記土収容部の同じ側壁に設けられている、請求項４に記載の土交換システム。
【考案の詳細な説明】
【技術分野】
【０００１】
本発明は、栽培ハウスの土を交換する土交換システムに関する。
【背景技術】
【０００２】
栽培ハウスは、室内を外気よりも温暖に維持できるため、寒冷な時期でも野菜や花などの作物の栽培が可能となる（特許文献１参照）。よって、一年を通して作物を栽培することも可能である。
【先行技術文献】
【特許文献】
【０００３】
【特許文献１】実用新案登録第３１３７７６１号公報
【考案の概要】
【考案が解決しようとする課題】
【０００４】
しかしながら、栽培ハウスにおいて、一年を通して作物の栽培を行い栽培回数を増やそうとしても、土を回復させる時間が必要になるため、作物を連続的に栽培することはできず、その栽培回数は十分なものではなかった。このため、栽培ハウスを用いても作物の年間生産量を飛躍的に増加させることはできなかった。
【０００５】
本考案はかかる点に鑑みてなされたものであり、栽培ハウスにおいて作物の連続的な栽培が可能で、作物の年間生産量を飛躍的に増加させることができる栽培ハウスの土交換システムを提供することをその目的とする。
【課題を解決するための手段】
【０００６】
上記目的を達成するための本考案は、栽培ハウスの土を交換する土交換システムであって、栽培ハウスの下に設けられ、栽培ハウスの土を囲んで収容する土収容部を有し、前記土収容部の少なくとも一つの側壁には、前記土収容部の土を搬入出するための土通過口が設けられている、土交換システムである。
【０００７】
前記土交換システムは、前記土収容部の前記土通過口のある側壁の外側に設けられ、前記土収容部に搬入出される土を収容する外部土収容部を、さらに有していてもよい。
【０００８】
前記土交換システムは、前記土通過口を通じて前記土収容部と前記外部土収容部との間で土を搬送する土搬送装置を、さらに有していてもよい。
【０００９】
前記土通過口には、前記土収容部から土を搬出するための搬出用土通過口と、前記土収容部に土を搬入するための搬入用土通過口があり、前記搬出用土通過口は、前記搬入用土通過口よりも低い位置に設けられていてもよい。
【００１０】
前記搬入用土通過口と前記搬出用土通過口は、前記土収容部の異なる側壁に設けられていてもよい。
【００１１】
前記搬入用土通過口と前記搬出用土通過口は、前記土収容部の同じ側壁に設けられていてもよい。
【考案の効果】
【００１２】
本考案によれば、栽培ハウスにおいて作物を連続的に栽培でき、作物の年間生産量を飛躍的に向上できる。
【図面の簡単な説明】
【００１３】
【図１】栽培ハウスの土交換システムの構成の概略を示す説明図である。
【図２】搬入用土通過口の位置を示す土交換システムの横断面図である。
【図３】搬出用土通過口の位置を示す土交換システムの横断面図である。
【図４】土収容部の土を外部土収容部に搬出している様子を示す説明図である。
【図５】外部土収容部から土収容部に土を搬入している様子を示す説明図である。
【図６】一つの側壁に搬入用土通過口と搬出用土通過口がある場合の土交換システムの説明図である。
【図７】搬入用土通過口と搬出用土通過口の位置を示す土交換システムの横断面図である。
【図８】左右の外部土収容部に共通の土搬送コンベアを用いる場合の土交換システムを示す説明図である。
【考案を実施するための形態】
【００１４】
以下、図面を参照して、本考案の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本考案を説明するための例示であり、本考案はこの実施の形態に限定されるものではない。
【００１５】
図１は、本実施の形態に係る栽培ハウスの土交換システム１の一例を示す。
【００１６】
土交換システム１は、栽培ハウス１０の土Ａを囲んで収容する土収容部２０と、土収容部２０に搬入出される土Ａを収容する外部土収容部２１を有している。
【００１７】
土収容部２０は、栽培ハウス１０の直下に設けられ、四方を囲む側壁３０と底床３１を有している。土収容部２０は、例えばコンクリートにより形成されている。この土収容部２０内に栽培ハウス１０の栽培で使われる土Ａが収容されている。
【００１８】
外部土収容部２１は、例えば土収容部２０の対向する２つの側壁３０ａ、３０ｂに隣接して設けられている。本実施の形態では、側壁３０ａの外側に土搬入用の外部土収容部２１ａが設けられ、側壁３０ｂの外側に土搬出用の外部土収容部２１ｂが設けられている。これらの外部土収容部２１は、例えばコンクリートにより形成されている。
【００１９】
土収容部２０の側壁３０ａには、外部土収容部２１ａから土収容部２０に土Ａを搬入するための搬入用土通過口４０が設けられ、土収容部２０の側壁３０ｂには、土収容部２０から外部土収容部２１ｂに土Ａを搬出するための搬出用土通過口４１が設けられている。
【００２０】
搬入用土通過口４０は、比較的高い位置に設けられ、図２に示すように土収容部２０の長手方向（栽培ハウス１０の長手方向（図２の上下方向））の水平方向に沿って複数個所に設けられている。なお、搬入用土通過口４０には、開閉扉が設けられていてもよい。
【００２１】
搬出用土通過口４１は、比較的低い位置に設けられ、図３に示すように土収容部２０の長手方向（栽培ハウス１０の長手方向（図３の上下方向））の水平方向に沿って複数個所に設けられている。なお、搬出用土通過口４１には、開閉扉が設けられていてもよい。
【００２２】
図１及び図２に示すように各搬入用土通過口４０には、土搬送装置としての例えば土搬送コンベア５０が挿入されており、外部土収容部２１ａの土Ａを土収容部２０に搬送できる。なお、この土搬送コンベア５０は、常時設置されていてもよいし、土Ａを搬入する際に設置されてもよい。
【００２３】
図１及び図３に示すように各搬出用土通過口４１には、土搬送装置としての例えば土搬送コンベア５１が挿入されており、土収容部２０の土Ａを外部土収容部２１ｂに搬送できる。
【００２４】
栽培ハウス１０は、例えば図１に示すように正面、或いは長手方向に対し直角の断面において屋根が２辺、側壁が２辺を構成する五角形を有するものであってもよいが、特にこれに限定されるものではなく、四角形のもの、或いは天井面が円弧状の一般的なビニールハウスなどであってもよい。
【００２５】
次に、以上のように構成された土交換システム１における土交換作業の一例を説明する。
【００２６】
栽培ハウス１０の使用済みの土Ａを外に出す作業では、例えば図４に示すように土搬送コンベア５１が作動し、土収容部２０の土Ａが搬出用通過口４１を通じて外部土収容部２１ｂに搬出される。外部土収容部２１ｂに搬出された土Ａは、人の作業により、またショベルカーなどの機械的手段により外部土収容部２１ｂの外に搬出される。
【００２７】
次に、栽培ハウス１０に新たな土Ａを入れる作業では、例えば図５に示すように土搬送コンベア５０が作動し、外部の新たな土Ａ、或いは外部土収容部２１ａの新たな土Ａが搬入用通過口４０を通じて土収容部２０に搬入される。このとき、人の作業により、またショベルカーなどの機械的手段により、土搬送コンベア５０に土Ａが載せられる。また、このとき、複数種類の土を段階的搬入してもよい。
【００２８】
本実施の形態によれば、土交換システム１が、栽培ハウスの土Ａを囲む土収容部２０を有し、土収容部２０の側壁３０ａ、３０ｂには、土収容部２０に土Ａを搬入出するための土通過口４０、４１が設けられているので、栽培ハウス１０の土Ａを簡単に交換できる。よって、土Ａを回復させるための期間が必要なく、一年を通して連続的に栽培が可能であり、作物の年間生産量を飛躍的に向上できる。
【００２９】
土収容部２０の側壁３０ａ、３０ｂの外側に外部土収容部２１ａ、２１ｂを設けたので、土収容部２０に対する土Ａの搬入出を簡単に行うことができる。
【００３０】
土交換システム１が、土通過口４０、４１を通じて土収容部２０と外部土収容部２１との間で土を搬送する土搬送コンベア５０、５１を有するので、土Ａの搬入出を容易に行うことができる。
【００３１】
搬出用土通過口４１が搬入用土通過口４０よりも低い位置にあるので、土収容部２０の土Ａを搬出用土通過口４１から効果的に搬出でき、また外部収容部２１ａの土Ａを搬入用土通過口４０から効果的に搬入できる。
【００３２】
搬入用土通過口４０と搬出用土通過口４１が、土収容部２０の異なる側壁３０ａ、３０ｂに設けられているので、土収容部２０の一の側壁３０ａから土Ａを搬入し、他の側壁３０ｂから土Ａを搬出できる。よって、土Ａの搬入出を効率的に行うことができる。
【００３３】
上記実施の形態において、搬入用土通過口４０と搬出用土通過口４１が、土収容部２０の同じ側壁３０ａ、３０ｂにそれぞれ設けられていてもよい。例えば図６に示すように側壁３０ｂの上部に搬入用土通過口４０が設けられ、側壁３０ｂの下部に搬出用土通過口４１が設けられる。また、側壁３０ａにも、上部に搬入用土通過口４０が設けられ、下部に搬出用土通過口４１が設けられる。このとき、図７に示すように側壁３０ａの搬入用土通過口４０の土搬送コンベア５０と側壁３０ｂの搬入用土通過口４０の土搬送コンベア５０とが干渉しないように、互いに位置をずらして搬入用土通過口４０が設けられている。また同様に、側壁３０ａの搬出用土通過口４１の土搬送コンベア５１と側壁３０ｂの搬出用土通過口４１の土搬送コンベア５１とが干渉しないように、互いに位置をずらして搬出用土通過口４１が設けられている。
【００３４】
かかる場合、各外部土収容部２１ａ、２１ｂにおいて、土収容部２０に対する土Ａの出し入れを行うことができる。
【００３５】
なお、以上の実施の形態における搬入用土通過口４０と搬出用土通過口４１は、それぞれ搬入用のみ、搬出用のみに用いる必要はなく、必要に応じて搬入用土通過口４０から土を搬出することがあってもよいし、搬出用土通過口４１から土を搬入することがあってもよい。
【００３６】
また、上記実施の形態において、図８に示すように左右の側壁３０ａ、３０ｂの対向する位置に土通過口６０を配置し、その対向する土通過口６０を貫通する土搬送コンベア７０を配置してもよい。また、この土搬送コンベア７０を複数段配置してもよい。かかる場合、土搬送コンベア７０により、左右の外部土収容部２１ａ、２１ｂと土収納部２０との間で土Ａを搬入出することができる。
【００３７】
以上、添付図面を参照しながら本考案の好適な実施の形態について説明したが、本考案はかかる例に限定されない。当業者であれば、登録実用新案請求の範囲に記載された思想の範疇内において、各種の変更例または修正例に想到し得ることは明らかであり、それらについても当然に本考案の技術的範囲に属するものと了解される。
【００３８】
例えば以上の実施の形態で記載されていた搬入用土通過口４０及び搬出用土通過口４１の位置や数、特に水平方向の数、垂直方向の数は任意に選択できる。また、土搬送コンベア５０、５１は、必ずしも設ける必要はなく、この場合、土収容部２０に対する土の出し入れは作業員等が器具を用いて行ってもよい。また、土搬送装置としては、土搬送コンベアである必要はなく、土を搬送可能な他の一般的な装置を用いてもよい。土収容部２０の２つの側壁３０ａ、３０ｂに搬入用土通過口４０や搬出用土通過口４１を設けていたが、１つの側壁、或いは３つ以上の側壁に搬入用土通過口４０や搬出用土通過口４１を設けてもよい。また、外部土収容部２１も２つに限られず、１つであってもよいし、３つ以上であってもよい。外部土収容部２１がない場合には、土収容部２０の外側に溝を掘って、土収容部２０に対し土を出し入れしてもよい。また、本考案は、五角形の栽培ハウス１０に限られず、他の形状、方式の栽培ハウス１０にも適用できる。
【符号の説明】
【００３９】
１  土交換システム
１０  栽培ハウス
２０  土収容部
２１（２１ａ、２１ｂ）  外部土収容部
３０（３０ａ、３０ｂ）  側壁
４０  搬入用土通過口
４１  搬出用土通過口
５０  土搬送コンベア
５１  土搬送コンベア
Ａ  土
【図１】
0003190302.tif 000003
【図２】
0003190302.tif 000004
【図３】
0003190302.tif 000005
【図４】
0003190302.tif 000006
【図５】
0003190302.tif 000007
【図６】
0003190302.tif 000008
【図７】
0003190302.tif 000009
【図８】
0003190302.tif 000010